(57)【要約】      （修正有）【課題】清掃素子が必要角度範囲内で揺動可能で、把持棒を必要角度に傾斜した後、その清掃素子がぞうきんかけ・水拭き面積が比較的大きい底面で床面をぞうきんかけ・水拭きすることができるようにし、これにより清掃効果を向上させ、しかも時間と労力を省く効果を有する揺動可能な清掃素子を提供する。【解決手段】把持棒１０、フレームブラケット１２、二つの接続機構２０、二つの水絞り板１１、及び、連接棒機構１３、並びに、清掃素子１４を有し、前記接続機構２０は一端をフレームブラケット１２に枢設した第１接続ピース２１、及び一端を水絞り板１１に枢設し、他端を第１接続ピース２１に枢設した第２接続ピース３１とを有してなる。そして、前記水絞り板１１上に設けた清掃素子１４の瑶動で清掃効果を向上させ、時間と労力を省き、且つ、把持棒が異なる傾斜角度に合わせて使用できるように構成されて成る。【選択図】図２
0003157899.tif 000002
【実用新案登録請求の範囲】
【請求項１】
瑶動可能な清掃素子を有するモップ1であって、該モップは
把持棒１０と、該把持棒の左右に対称、且つ可動的に把持棒底端に設けた二つの水絞り板１１と、把持棒と水絞り板の間に設けたフレームブラケット１２と、各二つの水絞り板１１上に枢設すると共に、フレームブラケット１２に枢設した二つの接続機構２０と、 把持棒上に設け、二水絞り板１１間に設けた接続座１３１を有し、該接続座には少なくとも一つの回転軸１３２を有し、その二水絞り板１１の内側端は回転軸１３２に枢設している連接棒機構１３と、 水絞り板１１上に設けた清掃素子１４とを有し、
その接続機構２０は一端に回転軸１３２の第１枢軸２３と平行にフレームブラケット１２に枢設し、他端に枢設端２４が形成されている第１接続ピース２１、及び
一端に回転軸１３２の第２枢軸３５と平行に、水絞り板１１に枢設し、他端が枢設端３２を、第３枢軸３３を介して第１接続ピース２１の枢設端２４に枢設し、該第３枢軸３３は回転軸１３２と垂直、且つ、第２接続ピース３１と略垂直の第２接続ピース３１であることを特徴とする瑶動可能な清掃素子を有するモップ。
【請求項２】
上記第１、第２接続ピースの枢設端中の一つは嵌接凸部４２を設け、別の一つには二接合凸部４５を設け、該二接合凸部４５間に收容凹部４６を設け、該嵌接凸部４２は收容凹部４６中に挿入され、第３枢軸３３にて 嵌接凸部４２と接合凸部４５とを枢設することを特徴とする請求項１記載の瑶動可能な清掃素子を有するモップ。
【請求項３】
上記第１、第２接続ピースが相対的に略１８０度を呈する時の状態を初期の開始と定義し、並びに両者が相対する瑶動方向の一側を前側、別の一側を後側と定義し、該接続機構２０は第１、第２接続ピース２１、３１が予定角度範囲内における相対瑶動の制限に用いる制限機構５１が設けられていることを特徴とする請求項２記載の瑶動可能な清掃素子を有するモップ。
【請求項４】
上記制限機構５１は、二つの各嵌接凸部４２と枢設端２４の両側から形成される肩部４４、及び接合凸部４５が相対応する肩部４４箇所に、切断部５４によって形成した前側、後側衝止部５３，５７、その前側衝止部５３は初期開始状態上で肩部４４に嵌設、第１、第２接続ピースが相対的に前向けに瑶動するように構成し、該後側衝止部５７は初期開始の状態下で、肩部４４との間隔一ピッチ５７１は、第１、第２接続ピースが相対的に後向きへ予定角度範囲瑶動後、肩部４４に嵌設し、且つ、第１、第2接続ピースの相対的後側向きの継続瑶動の阻止が可能なように形成されたことを特徴とする請求項３記載の瑶動可能な清掃素子を有するモップ。
【請求項５】
上記制限機構５１は、二接合凸部４５間に形成された收容凹部４６と枢設端３２に形成された底部４７、及び嵌接凸部４２が底部４７に相対応する箇所に設けた切断部５６にて形成される前側、後側衝止部５５、５８が該前側衝止部５５が初期開始状態下、底部４７に嵌設し、而も第１、第２接続ピースの相対的前側向き瑶動を阻止し、後側衝止部５８は初期開始状態下で、その底部４７との間隔一ピッチ５８１は、第１、第２接続ピースが相対的に後側向きへ予定角度範囲瑶動後、 底部４７に嵌設、而も第１、第２接続ピースの相対的後側向きの継続瑶動の阻止ができるように構成されたことを特徴とする請求項３又は４記載の瑶動可能な清掃素子を有するモップ。
【考案の詳細な説明】
【技術分野】
【０００１】
本考案は瑶動可能な清掃素子を有するモップに関するものであり、特に、清掃素子が所定角度範囲内で瑶動可能であり、これにより清掃効果を向上し、且つ、把持棒の傾斜度が弾性変化可能で、任意の方向に合わせて該把持棒の傾斜角度を制御することができるようにした瑶動可能な清掃素子を有するモップに関するものである。
【背景技術】
【０００２】
現今の生活中において、人々が床板をぞうきんかけし、或いは、水拭きする際、一般にモップを用いることが多い。而して、このモップを使用してぞうきんかけし、或いは水拭きする際には、腰が折り曲がり、或いは、うずくまるという苦痛を減少させることができる。然しながら一般のモップは、把持棒、該 把持棒の前端に布地条或いは綿条等の清掃素子を有する構成になっている。但し、この種のモップは水絞り装置がなく、絞り乾かすための清掃素子の構成になっていないので、 清掃素子を浸水させて清浄した後に絞り乾かすので、どうしても手の力で絞り乾かし、或いは足で踏み絞り乾かすことになり、極めて不便である。
【０００３】
上記不都合を解消するために、絞り乾かす操作に便利な清掃素子のモップを提供する。図１０乃至図１２に示す如く、モップ１の構成は以下の構成から成る。即ち、把持棒１０の左右対称で、且つ、移動可能に把持捧底端両側に設けた２個の水絞り板１１、把持棒１０と水絞り板１１との間に設け、且つ、把持棒１０の両側へ実装された固定端１２１を有するフレームブラケット１２、 把持棒上に設け、接続座１３１を有し、該接続座１３１に少なくとも回転軸１３２を有する連接棒機構１３、その水絞り板１１は対称的に接続座の両側に設けられ、且つ、その内側端は回転軸端１２１に枢設し、頂端７１は各その回転軸１３２に平行に設けられた第１枢軸７３を有し、該第１枢軸７３によってフレームブラケットの固定端に枢設し、且つ、底端７２に回転軸と平行な第２枢軸７４を有し、該第２枢軸７４によって水絞り板に枢設する。又、前記水絞り板１１上に水絞り清掃素子１４を設け、そして、該水絞り清掃素子を乾かす時、その連接棒機構を引き動かし、２個の水絞り板を率動して相対応する内向きに折り重ねることによって該水絞り清掃素子を絞り圧縮する。斯くして、容易に該水絞り清掃素子を絞り乾かすことができる。
【０００４】
しかしながら、清掃素子を容易に絞り乾かすために、その清掃素子は通常略板状に形成されている。即ち、ぞうきんかけ・水拭き面積が比較的大きい底面１４１及び比較的小さい側面１４２を有する。図１２に示す如く、モップを使用して床面１９をぞうきんかけ・水拭きする時には、把持棒を傾斜させる必要がある。この場合は、該把持棒を床面と垂直でぞうきんかけ・水拭き面積が比較的大きい底面１４１を利用して床面をぞうきんかけ・水拭きをするのは難しい。且つ、例えば家具の下面をぞうきんかけ・水拭きする場合は、該把持棒は必ず傾斜する必要がある。故に、ぞうきんかけ・水拭き時に通常はただぞうきんかけ・水拭き面の比較的小さい側面１４２を利用しただけであるから、清掃効果が低く、操作時間と労力を費やすという欠点がある。
【０００５】
このため、把持棒を湾曲したモップが市場に出現しているが、湾曲の把持棒は固定的にあり、弾性変化がないので、異なる要求に合せて把持棒の傾斜角度を制御することができない。（例えば、実用新案登録第３０９７３３４４号公報参照）
【先行技術文献】
【特許文献】
【０００６】
【特許文献１】実用新案登録第３０９７３３４４号公報
【考案の概要】
【考案が解決しようとする課題】
【０００７】
本考案は清掃素子が必要角度範囲内で揺動可能で、把持棒を必要角度に傾斜した後、その清掃素子がぞうきんかけ・水拭き面積が比較的大きい底面で床面をぞうきんかけ・水拭きすることができるようにし、これにより清掃効果を向上させ、しかも時間と労力を省く効果を有する揺動可能な清掃素子を有するモップを提供するものである。
【０００８】
又、把持棒の傾斜度が弾性変化できて、異なる要求に合わせて把持棒の傾斜角度が制御でき、そして、揺動可能な清掃素子を有するモップを提供することを目的とする。
【課題を解決するための手段】
【０００９】
本考案は上記目的を達成するために提案されたものであり、請求項１記載の考案は、瑶動可能な清掃素子を有するモップ1であって、該モップは
把持棒１０と、該把持棒の左右に対称、且つ可動的に把持棒底端に設けた二つの水絞り板１１と、把持棒と水絞り板の間に設けたフレームブラケット１２と、各二つの水絞り板１１上に枢設すると共に、フレームブラケット１２に枢設した二つの接続機構２０と、 把持棒上に設け、二水絞り板１１間に設けた接続座１３１を有し、該接続座には少なくとも一つの回転軸１３２を有し、その二水絞り板１１の内側端は回転軸１３２に枢設している連接棒機構１３と、 水絞り板１１上に設けた清掃素子１４とを有し、
その接続機構２０は一端に回転軸１３２の第１枢軸２３と平行にフレームブラケット１２に枢設し、他端に枢設端２４が形成されている第１接続ピース２１、及び
一端に回転軸１３２の第２枢軸３５と平行に、水絞り板１１に枢設し、他端が枢設端３２を、第３枢軸３３を介して第１接続ピース２１の枢設端２４に枢設し、該第３枢軸３３は回転軸１３２と垂直、且つ、第２接続ピース３１と略垂直の第２接続ピース３１であることを特徴とする瑶動可能な清掃素子を有するモップを提供する。
【００１０】
請求項２記載の考案は、上記第１、第２接続ピースの枢設端中の一つは嵌接凸部４２を設け、別の一つには二接合凸部４５を設け、該二接合凸部４５間に收容凹部４６を設け、該嵌接凸部４２は收容凹部４６中に挿入され、第３枢軸３３にて 嵌接凸部４２と接合凸部４５とを枢設することを特徴とする請求項１記載の瑶動可能な清掃素子を有するモップを提供する。
【００１１】
請求項３記載の考案は、上記第１、第２接続ピースが相対的に略１８０度を呈する時の状態を初期の開始と定義し、並びに両者が相対する瑶動方向の一側を前側、別の一側を後側と定義し、該接続機構２０は第１、第２接続ピース２１、３１が予定角度範囲内における相対瑶動の制限に用いる制限機構５１が設けられていることを特徴とする請求項２記載の瑶動可能な清掃素子を有するモップを提供する。
【００１２】
請求項４記載の考案は、上記制限機構５１は、二つの各嵌接凸部４２と枢設端２４の両側から形成される肩部４４、及び接合凸部４５が相対応する肩部４４箇所に、切断部５４によって形成した前側、後側衝止部５３，５７、その前側衝止部５３は初期開始状態上で肩部４４に嵌設、第１、第２接続ピースが相対的に前向けに瑶動するように構成し、該後側衝止部５７は初期開始の状態下で、肩部４４との間隔一ピッチ５７１は、第１、第２接続ピースが相対的に後向きへ予定角度範囲瑶動後、肩部４４に嵌設し、且つ、第１、第2接続ピースの相対的後側向きの継続瑶動の阻止が可能なように形成されたことを特徴とする請求項３記載の瑶動可能な清掃素子を有するモップを提供する。
【００１３】
請求項５記載の考案は、上記制限機構５１は、二接合凸部４５間に形成された收容凹部４６と枢設端３２に形成された底部４７、及び嵌接凸部４２が底部４７に相対応する箇所に設けた切断部５６にて形成される前側、後側衝止部５５、５８が該前側衝止部５５が初期開始状態下、底部４７に嵌設し、而も第１、第２接続ピースの相対的前側向き瑶動を阻止し、後側衝止部５８は初期開始状態下で、その底部４７との間隔一ピッチ５８１は、第１、第２接続ピースが相対的に後側向きへ予定角度範囲瑶動後、 底部４７に嵌設、而も第１、第２接続ピースの相対的後側向きの継続瑶動の阻止ができるように構成されたことを特徴とする請求項３又は４記載の瑶動可能な清掃素子を有するモップを提供する。
【考案の効果】
【００１４】
本考案は、フレームブラケットと水絞り板の間に二接続機構を設け、各接続機構は一端をフレームブラケットに枢設した第１接続ピース、及び第２接続ピース、一端を水絞り板に枢設、別の一端を第１接続ピースに枢設し、その水絞り板上に設けた清掃素子が揺動可能にして清掃効果を上げ、時間と労力を省くという目的、並びに把持棒は容易に異なる方向へ傾斜させて使用でき、且つ、該把持棒の傾斜度が弾性変化できて容易に異なる傾斜角度に合わせて使用できる。
【図面の簡単な説明】
【００１５】
【図１】本考案の一実施例を示すモップの斜視図
【図２】図１の分解図
【図３】本考案の第１、第２接続ピースに制限機構を設けた分解図
【図４】本考案の他の実施例を示す第１、第２接続ピースに制限機構を設けた分解斜視図
【図５】本考案の第１、第２接続ピースの組立斜視図
【図６】本考案の第１、第２接続ピースの一部切欠側面図
【図７】本考案が初期開始の状態下、後側向きに予定角度傾斜して床面をぞうきんかけ・水拭きする状態を示す側面図
【図８】本考案の前向きに清掃素子を用いて、後向きの揺動でもってぞうきんかけ・水拭きしている状態を示す側面図
【図９】本考案清掃素子の揺動角度範囲が制限機構の制限を受けた状態を示す表示図
【図１０】従来のモップ斜視図
【図１１】従来のモップの連接捧の分解図
【図１２】従来のモップの使用状状態を示す側面図
【考案を実施するための最良の形態】
【００１６】
本考案は、容易に清掃パッケージの交換ができる分解・組立容易な清掃パッケージのモップを提供するために瑶動可能な清掃素子を有するモップ1であって、該モップは
把持棒１０と、該把持棒の左右に対称、且つ可動的に把持棒底端に設けた二つの水絞り板１１と、把持棒と水絞り板の間に設けたフレームブラケット１２と、各二つの水絞り板１１上に枢設すると共に、フレームブラケット１２に枢設した二つの接続機構２０と、 把持棒上に設け、二水絞り板１１間に設けた接続座１３１を有し、該接続座には少なくとも一つの回転軸１３２を有し、その二水絞り板１１の内側端は回転軸１３２に枢設している連接棒機構１３と、 水絞り板１１上に設けた清掃素子１４とを有し、
その接続機構２０は一端に回転軸１３２の第１枢軸２３と平行にフレームブラケット１２に枢設し、他端に枢設端２４が形成されている第１接続ピース２１、及び
一端に回転軸１３２の第２枢軸３５と平行に、水絞り板１１に枢設し、他端が枢設端３２を、第３枢軸３３を介して第１接続ピース２１の枢設端２４に枢設し、該第３枢軸３３は回転軸１３２と垂直、且つ、第２接続ピース３１と略垂直の第２接続ピース３１であることを特徴とする瑶動可能な清掃素子を有するモップを提供することにより実現した。
【実施例】
【００１７】
図１乃至９に示す如く、本考案の揺動可能な清掃素子を有するモップ１は、 把持棒１０、フレームブラケット１２、二接続機構２０、二水絞り板１１、連接棒機構１３、及び清掃素子１４を有し、その特徴は、前記接続機構は以下を包含する。一端がフレームブラケットに枢設した第１接続ピース２１、及び、一端を水絞り板に枢設し、別の一端を前記第１接続ピースに枢設した第２接続ピース３１、そして、その水絞り板上に設ける清掃素子１４が揺動可能に構成して清掃効率を向上させ、更に、時間と労力を低減させることができ、並びに把持棒は容易に任意の方向に傾斜させて使用できるように構成されている。以下、詳細に説明する。
【００１８】
連接棒機構１３は把持棒上に設け、前記二水絞り板１１間に設けた接続部１３１を有する。接続座１３１は少なくとも回転軸１３２を有し、二水絞り板の内側端は回転軸１３２によって枢設しており、二水絞り板内側が連接棒機構１３を介して上向きの位置移動を率動し、そして、清掃素子の挾持動作が可能になるように構成されている。このため水絞り板底面に固定された清掃素子の水分を絞り乾かす。
【００１９】
図２に示す如く、第１接続ピース２１の一端に回転軸と平行に第１枢軸２３にてフレームブラケットに枢設する。別の一端に枢設端２４を設ける。
【００２０】
第２接続ピース３１は、一端に回転軸と平行する第２枢軸３５にて水絞り板に枢設し、別の一端に枢設端３２を設けて、回転軸に垂直、且つ、第２接続ピースと略垂直の第３枢軸３３にて、 第１接続ピースの枢設端に枢設して 第１、第２接続ピースを相対的に揺動できるように構成されている。更に、把持棒と水絞り板の清掃素子が相俟って揺動する。故に把持棒を任意の角度に傾斜させ、そして、清掃素子でぞうきんかけするとき、水拭き面積が比較的大きい底面で床面をぞうきんかけ・水拭きすることができ、清掃効果を向上させ、時間と労力を省くことができる。
【００２１】
図３に示す如く、第１、第２接続ピースの枢設端２４，３２中の一つは嵌接凸部４２を設け、別の一つは相対する二接合凸部４５を設けている。二接合凸部の間に收容凹部４６を設け、該嵌接凸部は收容凹部中に挿入し、第３枢軸３３にて二接合凸部を枢設する。
【００２２】
尚、説明の都合上、第１、第２接続ピース２１，３１が相対的に略180度を呈した時の状態を初期開始状態と定義し、並びに二者の相対揺動方向の一側を前側、別の一側を後側と定義する。接続機構２０は第１、第２接続ピースが任意の角度範囲内において、相対的に揺動制限に用いる制限機構５１を設ける。該制限機構は、以下を包含する。即ち、前記嵌接凸部４２と該嵌接凸部４２の両側に形成される肩部４４、並びに、接合凸部４５の前記肩部４４に相対する切断部５４を設けて前側、後側衝止部５３，５７を形成する。
【００２３】
図４に示す如く、制限機構５１は前述の部材の外、以下に列挙する部材を用いることもできる。即ち、二接合凸部４５にて形成される收容凹部４６と枢設端３２に形成された底部４７、及び嵌接凸部４２に前記底部に相対応する箇所に切断部５６を設けて前側、後側衝止部５５、５８を形成することもできる。
【００２４】
図５に示す如く、前側衝止部５３、５５が初期開始状態下において肩部４４、底部４７に嵌設し、第１、第２接続ピース２１，３１が相対的に前側向きに揺動する。後側衝止部５７、５８は初期開始状態下において、肩部、底部との間隔は一ピッチ５７１、５８１を有し、第１、第２接続ピースの相対する後側向きに予定角度揺動した後、肩部、底部に嵌設し第１、第２接続ピースの相対する後側向きの継続揺動を阻止する（図６参照）。そして、制限機構５１を介して第１、第２接続ピースが予定角度範囲内で相対的に揺動し、モップの使用時に、確実に前記の清掃素子の揺動角度を制御し、清掃効果を一層向上させ、時間と労力を省くことができる。
【００２５】
図７は、本考案が初期開始状態下において、後側向きの傾斜予定角度で床面１９をぞうきんかけ・水拭きしている状態を示す。
【００２６】
図８に示す如く、把持捧１０に力を施し清掃素子１４を床面１９に向かって押圧し、そして、前向きに遂行する。この時、清掃素子と床面の摩擦抵抗力が第２接続ピース３１を後向けに揺動して、清掃素子の比較的大きい底面１４１を利用してぞうきんかけ・水拭きをする。換言すれば、第２接続ピースが後向けに揺動する角度は、把持捧の傾斜角度に相対応する。又、使用者は、第２接続ピース揺動角度を制御でき、このため把持捧の傾斜度が弾性変化できる。故に、異なる要求に合わせてその把持捧の傾斜角度が制御される。
【００２７】
図９に示す如く、第２接続ピース３１の後向き揺動の角度範囲は制限機構５１の制限を受けて、使用者が容易に床面をぞうきんかけ・水拭きすることが可能となるのである。
【００２８】
尚、本考案は、本考案の精神を逸脱しない限り種々の改変を為すことができ、そして、本考案が該改変されたものに及ぶことは当然である。
【符号の説明】
【００２９】
１    モップ                       
１０    把持棒
１１    水絞り板                     
１２    フレームブラケット
１２１  固定端                     
１３    連接棒機構
１３１  接続座                     
１３２  回転軸
１４    清掃素子                     
１４１  底面
１４２  側面                       
１９    床面
２０    接続機構                     
２１    第１接続ピース
２２    頂端                         
２３    第１枢軸                  
２４    枢設端
３１    第２接続ピース               
３２    枢設端
３３    第３枢軸                     
３５    第２枢軸
４２    嵌接凸部                    
４４    肩部
４５    接合凸部                    
４６    收容凹部
４７    底部
５１    制限機構                     
５４，５６  切断部
５３、５５、５７、５８  前、後側衝止部
【図１】
0003157899.tif 000003
【図２】
0003157899.tif 000004
【図３】
0003157899.tif 000005
【図４】
0003157899.tif 000006
【図５】
0003157899.tif 000007
【図６】
0003157899.tif 000008
【図７】
0003157899.tif 000009
【図８】
0003157899.tif 000010
【図９】
0003157899.tif 000011
【図１０】
0003157899.tif 000012
【図１１】
0003157899.tif 000013
【図１２】
0003157899.tif 000014